(57)【要約】【課題】電気自動車により可搬型医療機器を持ち出して使用する際に、可搬型医療機器を駆動する充電池の残量不足により可搬型医療機器が使用不能となるのを防ぐ。【解決手段】電子カセッテ及び可搬型Ｘ線源の充電池管理装置は、入力された撮影予定日の撮影予約情報を取得し（ステップＳ１０、Ｓ１２）、撮影予約情報にから電子カセッテ及び可搬型Ｘ線源の撮影電力量を算出し（ステップＳ１４）、撮影場所の住所から電気自動車の走行距離を算出し（ステップＳ１６）、走行距離から電気自動車の走行に必要な走行電力量を算出し（ステップＳ１８）、電気自動車のバッテリー残量を取得し（ステップＳ２０）、電気自動車のバッテリー残量及び走行電力量に基づいて回診可能か否か判断し（ステップＳ２２）、回診不可能な場合は警告し（ステップＳ２６）、回診不可能な場合は電子カセッテ１０及び可搬型Ｘ線源７０の充電池の必要個数を算出する（ステップＳ２４）。【選択図】図９
2011251005.tif 000002
【特許請求の範囲】
【請求項１】
予め設定された出発地から可搬型医療機器を使用して回診する回診場所を経由して目的地へ至るまでの電気自動車の予定走行距離に基づいて、当該電気自動車の走行に必要な走行電力量を算出する走行電力量算出手段と、
前記可搬型医療機器の使用予定情報に基づいて、前記可搬型医療機器の使用に必要な使用電力量を算出する使用電力量算出手段と、
前記電気自動車を駆動する車両バッテリーの車両バッテリー残量を取得する取得手段と、
前記走行電力量算出手段により算出した前記走行電力量、前記使用電力量算出手段により算出した前記使用電力量、及び前記取得手段により取得した前記車両バッテリー残量に基づいて、前記可搬型医療機器を駆動する充電池の必要個数を決定する決定手段と、
を備えた可搬型医療機器の充電池管理装置。
【請求項２】
前記決定手段は、前記取得手段により取得した前記車両バッテリー残量が前記走行電力量より多い場合には、その差分の電力量により減らすことができる前記可搬型医療機器の充電池の個数を算出する算出手段を含む
請求項１記載の可搬型医療機器の充電池管理装置。
【請求項３】
前記可搬型医療機器は、可搬型放射線撮影装置及び可搬型放射線源を含み、前記決定手段は、前記可搬型放射線撮影装置を駆動する充電池の必要個数及び前記可搬型放射線源を駆動する充電池の必要個数を各々決定する
請求項２記載の可搬型医療機器の充電池管理装置。
【請求項４】
前記走行電力量算出手段により算出した前記走行電力量、前記使用電力量算出手段により算出した前記使用電力量、及び前記取得手段により取得した前記車両バッテリー残量に基づいて、前記回診が可能か否かを報知する報知手段
を備えた請求項１〜請求項３の何れか１項に記載の可搬型医療機器の充電池管理装置。
【請求項５】
予め設定された出発地から可搬型医療機器を使用して回診する回診場所を経由して目的地へ至るまでの電気自動車の予定走行距離に基づいて、当該電気自動車の走行に必要な走行電力量を算出し、
前記可搬型医療機器の使用予定情報に基づいて、前記可搬型医療機器の使用に必要な使用電力量を算出し、
前記電気自動車を駆動する車両バッテリーの車両バッテリー残量を取得し、
算出した前記走行電力量、算出した前記使用電力量、及び取得した前記車両バッテリー残量に基づいて、前記可搬型医療機器を駆動する充電池の必要個数を決定する
可搬型医療機器の充電池管理方法。
【請求項６】
コンピュータを、
予め設定された出発地から可搬型医療機器を使用して回診する回診場所を経由して目的地へ至るまでの電気自動車の予定走行距離に基づいて、当該電気自動車の走行に必要な走行電力量を算出する走行電力量算出手段、
前記可搬型医療機器の使用予定情報に基づいて、前記可搬型医療機器の使用に必要な使用電力量を算出する使用電力量算出手段、
前記電気自動車を駆動する車両バッテリーの車両バッテリー残量を取得する取得手段、
前記走行電力量算出手段により算出した前記走行電力量、前記使用電力量算出手段により算出した前記使用電力量、及び前記取得手段により取得した前記車両バッテリー残量に基づいて、前記可搬型医療機器を駆動する充電池の必要個数を決定する決定手段、
として機能させるための可搬型医療機器の充電池管理プログラム。
【発明の詳細な説明】
【技術分野】
【０００１】
本発明は、可搬型医療機器の充電池管理装置、方法、及びプログラムに係り、特に、充電池によって駆動される可搬型医療機器の充電池管理装置、方法、及びプログラムに関する。
【背景技術】
【０００２】
特許文献１には、可搬型放射線撮影装置（電子カセッテ）が記載されており、この電子カセッテは充電池によって駆動される。このような電子カセッテを用いて在宅医療において放射線撮影したり、企業の健康診断や介護施設等で放射線撮影したりする場合、すなわち、医療機関以外で放射線撮影を行う場合、電子カセッテやＸ線を放射するＸ線源を駆動するバッテリーの残量が不足して撮影不可能になってしまうことが考えられる。
【０００３】
ここで、特許文献２には、放射線画像情報や医事情報を管理するシステムと接続され、これらの情報に基づいて次の撮影に必要な電子カセッテの電力量を算出することが記載されている。
【０００４】
電子カセッテやＸ線源をエンジン駆動の車両で搬送する場合には、車両のバッテリーから充電することも可能である。エンジン駆動の車両の場合、そのバッテリーはエンジン駆動によって発電される電力によって充電されるため、走行によってバッテリーが減り続けることはなく、車両のバッテリーから電子カセッテやＸ線源のバッテリーを充電しても車両のバッテリーが不足することはないためである。
【０００５】
ところで、近年では、環境問題によりハイブリッド車や電気自動車の開発が活発であり、医療機関で用いる車両も将来的に電気自動車が採用されることが十分に考えられる。
【０００６】
ここで、特許文献３には、電気自動車の走行距離に基づいて必要な電力量を算出する技術が記載されている。
【先行技術文献】
【特許文献】
【０００７】
【特許文献１】特開２０１０−１６９７７号公報
【特許文献２】特開２０１０−７５４５４号公報
【特許文献３】特開２００９−１３６１０９号公報
【発明の概要】
【発明が解決しようとする課題】
【０００８】
電気自動車により電子カセッテやＸ線源を搬送する場合には、電気自動車のバッテリーから電子カセッテやＸ線源のバッテリーを充電すると、その分電気自動車のバッテリー残量が減り、走行可能距離が減ってしまう。このため、医療機関を出発して、予定されたコースにより訪問先を訪問して撮影し、医療機関に戻ることができなくなる虞がある、という問題がある。
【０００９】
本発明は上記問題点を解決するためになされたものであり、電気自動車により可搬型医療機器を持ち出して使用する際に、可搬型医療機器を駆動する充電池の残量不足により可搬型医療機器の使用ができなくなるのを防ぐことができる可搬型医療機器の充電池管理装置、方法、及びプログラムを提供することを目的とする。
【課題を解決するための手段】
【００１０】
本発明の請求項１記載の発明の可搬型医療機器の充電池管理装置は、予め設定された出発地から可搬型医療機器を使用して回診する回診場所を経由して目的地へ至るまでの電気自動車の予定走行距離に基づいて、当該電気自動車の走行に必要な走行電力量を算出する走行電力量算出手段と、前記可搬型医療機器の使用予定情報に基づいて、前記可搬型医療機器の使用に必要な使用電力量を算出する使用電力量算出手段と、前記電気自動車を駆動する車両バッテリーの車両バッテリー残量を取得する取得手段と、前記走行電力量算出手段により算出した前記走行電力量、前記使用電力量算出手段により算出した前記使用電力量、及び前記取得手段により取得した前記車両バッテリー残量に基づいて、前記可搬型医療機器を駆動する充電池の必要個数を決定する決定手段と、を備えたことを特徴とする。
【００１１】
この発明によれば、算出した走行電力量、算出した使用電力量、及び取得した前記車両バッテリー残量に基づいて、可搬型医療機器を駆動する充電池の必要個数を決定するので、電気自動車により可搬型医療機器を持ち出して使用する際に、可搬型医療機器を駆動する充電池の残量不足により可搬型医療機器の使用ができなくなるのを防ぐことができる。
【００１２】
なお、請求項２に記載したように、前記決定手段は、前記取得手段により取得した前記車両バッテリー残量が前記走行電力量より多い場合には、その差分の電力量により減らすことができる前記可搬型医療機器の充電池の個数を算出する算出手段を含む構成としてもよい。
【００１３】
これにより、持ち出す可搬型医療機器を必要最小限の個数とすることができる。
【００１４】
また、請求項３に記載したように、前記可搬型医療機器は、可搬型放射線撮影装置及び可搬型放射線源を含み、前記決定手段は、前記可搬型放射線撮影装置を駆動する充電池の必要個数及び前記可搬型放射線源を駆動する充電池の必要個数を各々決定するようにしてもよい。
【００１５】
また、請求項４に記載したように、前記走行電力量算出手段により算出した前記走行電力量、前記使用電力量算出手段により算出した前記使用電力量、及び前記取得手段により取得した前記車両バッテリー残量に基づいて、前記回診が可能か否かを報知する報知手段を備えた構成としてもよい。
【００１６】
これにより、電気自動車により可搬型医療機器を持ち出して使用する際に、車両バッテリー残量や可搬型医療機器を駆動する充電池の残量不足により可搬型医療機器の使用ができなくなるのを事前に知ることができ、可搬型医療機器の使用ができなくなるのを未然に防ぐことができる。
【００１７】
請求項５記載の発明の可搬型医療機器の充電池管理方法は、予め設定された出発地から可搬型医療機器を使用して回診する回診場所を経由して目的地へ至るまでの電気自動車の予定走行距離に基づいて、当該電気自動車の走行に必要な走行電力量を算出し、前記可搬型医療機器の使用予定情報に基づいて、前記可搬型医療機器の使用に必要な使用電力量を算出し、前記電気自動車を駆動する車両バッテリーの車両バッテリー残量を取得し、算出した前記走行電力量、算出した前記使用電力量、及び取得した前記車両バッテリー残量に基づいて、前記可搬型医療機器を駆動する充電池の必要個数を決定することを特徴とする。
【００１８】
また、請求項６記載の発明の可搬型医療機器の充電池管理プログラムは、コンピュータを、予め設定された出発地から可搬型医療機器を使用して回診する回診場所を経由して目的地へ至るまでの電気自動車の予定走行距離に基づいて、当該電気自動車の走行に必要な走行電力量を算出する走行電力量算出手段、前記可搬型医療機器の使用予定情報に基づいて、前記可搬型医療機器の使用に必要な使用電力量を算出する使用電力量算出手段、前記電気自動車を駆動する車両バッテリーの車両バッテリー残量を取得する取得手段、前記走行電力量算出手段により算出した前記走行電力量、前記使用電力量算出手段により算出した前記使用電力量、及び前記取得手段により取得した前記車両バッテリー残量に基づいて、前記可搬型医療機器を駆動する充電池の必要個数を決定する決定手段、として機能させるためのものである。
【発明の効果】
【００１９】
本発明によれば、可搬型医療機器を駆動する充電池の残量不足により可搬型医療機器の使用ができなくなるのを防ぐことができる、という効果を有する。
【図面の簡単な説明】
【００２０】
【図１】放射線情報システムの全体構成を示す図である。
【図２】電子カセッテの回路図である。
【図３】電子カセッテの平面図である。
【図４】電子カセッテの断面図である。
【図５】電子カセッテの斜視図である。
【図６】可搬型Ｘ線源の斜視図である。
【図７】電子カセッテ及び可搬型Ｘ線源の使用状況を示した斜視図である。
【図８】充電池管理装置の概略ブロック図である。
【図９】充電池管理装置で実行される処理のフローチャートである。
【発明を実施するための形態】
【００２１】
以下、本発明の実施形態の一例について図面を参照して説明する。
【００２２】
本実施形態では、可搬型放射線撮影装置（電子カセッテ）を病院等の医療機関から持ち出して、電気自動車により訪問先（個人宅や企業、介護施設等）を訪問して放射線撮影する場合等を想定し、電子カセッテやＸ線を放射するＸ線源を駆動する充電池の残量が不足して撮影不可能になってしまうのを防ぐために、電子カセッテ等に必要な充電池の個数を決定する場合について説明する。
【００２３】
まず、図１を参照して、本実施形態に係る放射線情報システム（以下、「ＲＩＳ（Radiology Information System）」と称する。）１００の構成について説明する。
【００２４】
ＲＩＳ１００は、放射線科部門内における、診療予約、診断記録等の情報管理を行うためのシステムであり、病院情報システム（以下、「ＨＩＳ（Hospital Information System）」と称する。）の一部を構成する。
【００２５】
ＲＩＳ１００は、複数台の撮影依頼端末装置（以下、「端末装置」と称する。）１０２、ＲＩＳサーバ１０４、および病院内の放射線撮影室（あるいは手術室）の個々に設置された放射線画像撮影システム（以下、「撮影システム」と称する。）１０６、充電池管理装置１０８を有しており、これらが有線や無線のＬＡＮ（Local Area Network）等から成る病院内ネットワーク１１０に各々接続されて構成されている。なお、ＲＩＳ１００は、同じ病院内に設けられたＨＩＳの一部を構成しており、病院内ネットワーク１１０には、ＨＩＳ全体を管理するＨＩＳサーバ（図示省略。）も接続されている。
【００２６】
端末装置１０２は、医師や放射線技師が、診断情報や施設予約の入力、閲覧等を行うためのものであり、放射線画像の撮影依頼や撮影予約もこの端末装置１０２を介して行われる。各端末装置１０２は、表示装置を有するパーソナル・コンピュータを含んで構成され、ＲＩＳサーバ１０４と病院内ネットワーク１１０を介して相互通信が可能とされている。
【００２７】
一方、ＲＩＳサーバ１０４は、各端末装置１０２からの撮影依頼を受け付け、撮影システム１０６における放射線画像の撮影スケジュールを管理するものであり、データベース１０４Ａを含んで構成されている。
【００２８】
データベース１０４Ａは、患者（被検者）の属性情報（氏名、性別、生年月日、住所、年齢、血液型、体重、患者ＩＤ（Identification）等）、病歴、受診歴、過去に撮影した放射線画像等の患者に関する情報、後述する撮影予約情報、撮影システム１０６で用いられる、電子カセッテ１０の識別番号（ＩＤ情報）、型式、サイズ、感度、使用可能な撮影部位（対応可能な撮影依頼の内容）、使用開始年月日、使用回数等の電子カセッテ１０に関する情報を含んで構成されている。
【００２９】
撮影予約情報（使用予定情報）は、撮影する患者の患者ＩＤ、患者の氏名、撮影予定日、撮影場所（住所）、撮影部位、撮影枚数等を含む情報であり、ＲＩＳサーバ１０４により生成される。撮影予約情報は、端末装置１０２によって入力された撮影予約に関する情報と、データベース１０４Ａに記憶された患者の属性情報と、に基づいて生成される。例えば、端末装置１０２により患者ＩＤ、撮影予定日、撮影部位、撮影枚数等が入力されると、これらの情報がＲＩＳサーバ１０４に送信される。そして、ＲＩＳサーバ１０４では、端末装置１０２から送信された患者ＩＤに対応する患者の氏名、住所（撮影場所）等をデータベース１０４Ａに記憶された患者の属性情報から抽出し、この情報と端末装置１０２から送信された情報とを関連付けて、撮影予約情報としてデータベース１０４Ａに記憶させる。
【００３０】
撮影システム１０６は、ＲＩＳサーバ１０４からの指示に応じて医師や放射線技師の操作により放射線画像の撮影を行う。撮影システム１０６は、図示しない放射線源から曝射条件に従った線量とされた放射線を被検者に照射する放射線発生装置１１２と、被検者の撮影対象部位を透過した放射線Ｘを吸収して電荷を発生し、発生した電荷量に基づいて放射線画像を示す画像情報を生成する放射線検出器を内蔵する電子カセッテ１０と、電子カセッテ１０に内蔵されている充電池を充電するクレードル１１４と、電子カセッテ１０、放射線発生装置１１２、及びクレードル１１４を制御するコンソール１１６と、を備えている。
【００３１】
コンソール１１６は、ＲＩＳサーバ１０４からデータベース１０４Ａに含まれる各種情報を取得して図示しないＨＤＤ（ハードディスクドライブ）に記憶し、当該情報に基づいて、電子カセッテ１０、放射線発生装置１１２、及びクレードル１１４の制御を行う。
【００３２】
電子カセッテ１０は、持ち運び可能な可搬型Ｘ線源と共に病院から持ち出して、個人宅や企業、介護施設等で撮影を行うことが可能である。
【００３３】
ここで、訪問先で使用される電子カセッテ１０について説明する。
【００３４】
図２に示されるように、電子カセッテ１０の筐体１８の内部には、放射線撮像素子１２が設けられている。この放射線撮像素子１２は、上部電極と半導体層と下部電極を備え、放射線撮像素子１２には、光を受けて電荷を蓄積するセンサ部１４と、センサ部１４に蓄積された電荷を読み出すためのＴＦＴスイッチ１６と、を含んで構成される画素２０が２次元状に多数設けられている。
【００３５】
また、放射線撮像素子１２には、前述したＴＦＴスイッチ１６をＯＮ／ＯＦＦするための複数の走査配線２２と、センサ部１４に蓄積された電荷を読み出すための複数の信号配線２４と、が互いに交差して設けられている。
【００３６】
本実施形態に係る放射線撮像素子１２は、表面にＧＯＳ又はＣｓＩ等からなるシンチレータ３０（図３及び図４参照）が貼り付けられている。シンチレータ３０は、発生した光の外部への漏れだしを防止するため、貼り付けられた放射線撮像素子１２に対する反対側の面に発生した光を遮光する遮光体３０Ａ（図４参照）を有している。
【００３７】
放射線撮像素子１２では、照射されたＸ線などの放射線はシンチレータ３０で光に変換され、センサ部１４に照射される。センサ部１４は、シンチレータ３０から照射された光を受けて電荷を蓄積するようになっている。
【００３８】
そして、各信号配線２４には、信号配線２４に接続された何れかのＴＦＴスイッチ１６がＯＮされることによりセンサ部１４に蓄積された電荷量に応じて放射線画像を示す電気信号（画像信号）が流れるようになっている。
【００３９】
また、放射線撮像素子１２の信号配線方向の一端側には、結線用のコネクタ３２が複数個並んで設けられ、走査配線方向の一端側には、コネクタ３４が複数個並んで設けられている。そして、各信号配線２４はコネクタ３２に接続され、各走査配線２２はコネクタ３４に接続されている。
【００４０】
さらに、本実施の形態では、放射線撮像素子１２による放射線検出の制御、及び各信号配線２４に流れる電気信号に対する信号処理の制御を行う制御部３６が設けられ、制御部３６は、信号検出回路４２と、スキャン信号制御回路４０と、を備えている。
【００４１】
また、信号検出回路４２には、複数個のコネクタ４６が設けられており、このコネクタ４６には、フレキシブルケーブル４４の一端が電気的に接続されている。さらに、このフレキシブルケーブル４４の他端は、コネクタ３２に接続されており、信号配線２４毎に、入力される電気信号を増幅する増幅回路を内蔵している。この構成により、信号検出回路４２は、各信号配線２４より入力される電気信号を増幅回路により増幅して検出することで、画像を構成する各画素２０の情報として、各センサ部１４に蓄積された電荷量を検出するようになっている。
【００４２】
一方、スキャン信号制御回路４０には、コネクタ４８が設けられており、このコネクタ４８には、フレキシブルケーブル５２の一端が電気的に接続されている。さらに、このフレキシブルケーブル５２の他端は、コネクタ３４に接続されており、スキャン信号制御回路４０は各走査配線２２にＴＦＴスイッチ１６をＯＮ／ＯＦＦするための制御信号を出力するようになっている。
【００４３】
また、図４に示されるように、本実施の形態に係る電子カセッテ１０は、照射された放射線により表わされる放射線画像を撮影する撮影部６０を有している。この撮影部６０は、平板状に形成された支持基板６２の一方の面に放射線撮像素子１２が配置され（図３参照）、支持基板６２の他方の面に放射線撮像素子１２に対応する信号検出回路４２及びスキャン信号制御回路４０が配置されている。
【００４４】
また、図５に示されるように、電子カセッテ１０には、電子カセッテ１０を稼動させる充電池５４が設けられており、この充電池５４は、電子カセッテ１０の側面に設けられた収納部５６に着脱自在とされている。
【００４５】
これに対し、図６に示されるように、電子カセッテ１０に放射線を照射する可搬型Ｘ線源７０には、Ｘ線を照射する照射窓７２と、可搬型Ｘ線源７０のコリメータを調整する調整ダイヤル７４と、可搬型Ｘ線源７０を持ち運ぶときに把持する把持部７６とが設けられている。
【００４６】
さらに、可搬型Ｘ線源７０には、可搬型Ｘ線源７０を稼動させる充電池５８が設けられており、この充電池５８は、可搬型Ｘ線源７０の側面に設けられた収納部６８に着脱自在とされている。
【００４７】
電子カセッテ１０及び可搬型Ｘ線源７０は、これらを収納する図示しない収納ケースに収納されて持ち運ぶことができる。
【００４８】
次に、本実施形態に係る電子カセッテ１０及び可搬型Ｘ線源７０の動作について説明する。
【００４９】
図７に示されるように、図示しない収納ケースに収納されて個人宅や介護施設に持ち運ばれた電子カセッテ１０は、放射線画像の撮影時において、放射線を発生させる可搬型Ｘ線源７０と間隔を空けて配置される。詳細には、可搬型Ｘ線源７０の把持部７６を、個人宅又は介護施設にて簡易に組み立てられたアングル７８の引掛け部８０に引っ掛けることで、電子カセッテ１０と可搬型Ｘ線源７０とは垂直方向に間隔を空けて配置される。
【００５０】
また、このときの可搬型Ｘ線源７０と電子カセッテ１０との間は、被写体８２が位置するための撮影位置とされており、放射線画像の撮影が指示されると、可搬型Ｘ線源７０は予め与えられた撮影条件等に応じた放射線量の放射線を射出する。そして、可搬型Ｘ線源７０から射出された放射線は、撮影位置に位置している被写体８２を透過することで画像情報を担持した後に電子カセッテ１０に照射される。
【００５１】
図４に示されるように、放射線撮像素子１２では、照射されたＸ線などの放射線はシンチレータ３０で光に変換され、センサ部１４（図２参照）に照射される。センサ部１４は、シンチレータ３０から照射された光を受けて電荷を蓄積する。
【００５２】
図２に示されるように、画像読出時には、スキャン信号制御回路４０から放射線撮像素子１２のＴＦＴスイッチ１６のゲート電極に走査配線２２を介して順次ＯＮ信号（＋１０〜２０Ｖ）が印加される。これにより、放射線撮像素子１２のＴＦＴスイッチ１６が順次ＯＮされることによりセンサ部１４に蓄積された電荷量に応じた電気信号が信号配線２４に流れ出す。信号検出回路４２は、放射線撮像素子１２の信号配線２４に流れ出した電気信号に基づいて各センサ部１４に蓄積された電荷量を、画像を構成する各画素２０の情報として検出する。これにより、放射線撮像素子１２に照射された放射線により示される画像を示す画像情報を得る。
【００５３】
本実施形態においては、電気自動車により電子カセッテ１０及び可搬型Ｘ線源を搭載して予定された訪問先を訪問し、訪問先で撮影を行って病院に戻る場合を想定している。モータ駆動の電気自動車では、エンジン駆動の自動車と異なり、ブレーキ動作時における回生電力により多少の充電はできるものの、走行中するに従ってバッテリーは減り続ける。このため、電子カセッテ１０及び可搬型Ｘ線源７０の充電池の残量が無くなった場合に電気自動車のバッテリーから頻繁に充電するのは好ましくなく、一方で、持ち運ぶ充電池の個数が多すぎるのも好ましくない。従って、電子カセッテ１０及び可搬型Ｘ線源の充電池の残量が無くならないように、予め必要最小限の充電池の個数を決定しておくことが好ましい。
【００５４】
そこで、本実施形態に係る充電池管理装置１０８では、電気自動車の予定走行距離や電気自動車のバッテリー残量等に基づいて電子カセッテ１０及び可搬型Ｘ線源７０の充電池の個数を決定する。
【００５５】
図８には、充電池管理装置１０８の概略構成を示した。同図に示すように、充電池管理装置１０８は、一般的なコンピュータの構成であり、コントローラ１２０を含んで構成されている。
【００５６】
コントローラ１２０は、ＣＰＵ（Ｃｅｎｔｒａｌ  Ｐｒｏｃｅｓｓｉｎｇ  Ｕｎｉｔ）１２０Ａ、ＲＯＭ（Ｒｅａｄ  Ｏｎｌｙ  Ｍｅｍｏｒｙ）１２０Ｂ、ＲＡＭ（Ｒａｎｄｏｍ  Ａｃｃｅｓｓ  Ｍｅｍｏｒｙ）１２０Ｃ、不揮発性メモリ１２０Ｄ、及び入出力インターフェース（Ｉ／Ｏ）１２０Ｅがバス１２０Ｆを介して各々接続された構成となっている。
【００５７】
Ｉ／Ｏ１２０Ｅには、表示部１２２、操作部１２４、ハードディスク１２６、及び病院内ネットワーク１１０を介してＲＩＳサーバ１０４等の他の装置と通信するための通信インターフェース（Ｉ／Ｆ）１２８が接続されている。
【００５８】
ハードディスク１２６には、後述する処理の処理プログラムや、放射線画像の撮影の際に電子カセッテ１０及び可搬型Ｘ線源７０で消費される撮影１枚当たりの撮影部位毎の消費電力量を電子カセッテ１０及び可搬型Ｘ線源７０の各々について予め定めた撮影電力情報、電子カセッテ１０及び可搬型Ｘ線源７０を搬送する電気自動車の走行による単位距離当たりの消費電力量について予め定めた走行電力情報、電子カセッテ１０の充電池５４の１個当たりの容量（満充電時の電力量）及び可搬型Ｘ線源７０の充電池５８の１個当たりの容量（満充電時の電力量）等の各種データが記憶されている。
【００５９】
また、ハードディスク１２６には、病院から撮影場所を訪問して病院へ戻ってくるまでのルート探索し、走行距離等を算出するためのルート探索アプリケーションソフトがインストールされている。このルート探索アプリケーションは、地図データベースを含み、出発地点及び目的地、経由地の住所を設定することにより、出発点から経由地を経由して目的地（本実施形態では出発地と同一）に至るまでの走行ルートを探索すると共に、その予定走行距離を算出することが可能である。
【００６０】
次に、本実施形態の作用として、コントローラ１２０のＣＰＵ１２０Ａで実行される処理について、図９に示すフローチャートを参照して説明する。なお、図９に示す処理の処理プログラムは、例えばハードディスク１２６に予め記憶され、このハードディスク１２６から処理プログラムが読み込まれてＣＰＵ１２０Ａにより実行される。
【００６１】
まず、ステップＳ１０では、撮影予定日が入力されたか否かを判断する。オペレータが操作部１２４を操作して撮影予定日を入力すると、ステップＳ１０で肯定判断され、ステップＳ１２へ移行する。撮影予定日が入力されていない場合には、撮影予定日が入力されるまで待機する。
【００６２】
ステップＳ１２では、入力された撮影予定日の撮影予約情報を取得する。具体的には、まず、入力された撮影予定日をＲＩＳサーバ１０４へ送信する。ＲＩＳサーバ１０４では、充電池管理装置１０８から送信された撮影予定日の撮影予約情報をデータベース１０４Ａから抽出し、これを充電池管理装置１０８に送信する。
【００６３】
ステップＳ１４では、取得した撮影予約情報及びハードディスク１２６に予め記憶された撮影電力情報に基づいて、撮影に必要な電子カセッテ１０及び可搬型Ｘ線源７０の電力量（Ｗ・ｈ）を算出する。前述したように、撮影予約情報には、撮影する患者の撮影部位及び撮影枚数が含まれている。また、撮影電力情報には、撮影１枚当たりの撮影部位毎の消費電力量が電子カセッテ１０及び可搬型Ｘ線源７０の各々について定義されている。
【００６４】
例えば、ある患者Ｆの撮影部位ａ（例えば胸）の撮影枚数がＮａ枚、撮影部位ｂの撮影枚数がＮｂ枚で、撮影部位ａの撮影１枚当たりの電子カセッテ１０の消費電力量がＰａ１、撮影部位ｂの撮影１枚当たりの電子カセッテ１０の消費電力量がＰｂ１の場合、その患者の撮影に必要な電子カセッテ１０の撮影電力量（使用電力量）Ｐｘは次式で表される。
【００６５】
Ｐｘ＝Ｐａ１×Ｎａ＋Ｐｂ１×Ｎｂ      ・・・（１）
【００６６】
このような電子カセッテ１０の必要電力量Ｐｘを指定された撮影予定日に撮影予定の患者毎に算出して積算することにより、指定された撮影予定日の撮影に必要な電子カセッテ１０の撮影電力量ＰＸを求めることができる。
【００６７】
同様に、患者Ｆの撮影部位ａの撮影１枚当たりの可搬型Ｘ線源７０の消費電力量がＰａ、撮影部位ｂの撮影１枚当たりの電子カセッテ１０の消費電力量がＰｂの場合、その患者の撮影に必要な電子カセッテ１０の撮影電力量（使用電力量）Ｐｙは次式で表される。
【００６８】
Ｐｙ＝Ｐａ２×Ｎａ＋Ｐｂ２×Ｎｂ      ・・・（２）
【００６９】
このような可搬型Ｘ線源７０の必要電力量Ｐｙを指定された撮影予定日に撮影予定の患者毎に算出して積算することにより、指定された撮影予定日の撮影に必要な可搬型Ｘ線源７０の撮影電力量ＰＹを求めることができる。
【００７０】
ステップＳ１６では、撮影予約情報に含まれる撮影場所の住所に基づいて、電子カセッテ１０及び可搬型Ｘ線源７０を搬送する電気自動車の走行距離をルート探索アプリケーションにより算出する。具体的には、電子カセッテ１０及び可搬型Ｘ線源７０を電気自動車に搭載して出発する病院を出発点及び最終目的地とすると共に、撮影予定の各撮影場所を経由地として、これらの住所をルート探索アプリケーションに設定する。これにより、ルート探索アプリケーションでは、病院を出発し、各撮影場所を経由して病院に戻るまでの走行ルートを探索し、その走行ルートの走行距離を算出する。探索されたルート及び走行距離は、例えば表示部１２２に表示される。
【００７１】
ステップＳ１８では、ステップＳ１６で算出した走行距離及びハードディスク１２６に予め記憶された走行電力情報に基づいて、ステップＳ１６で算出した走行距離を電気自動車が走行するのに必要な走行電力量Ｐｓを算出する。具体的には、ステップＳ１６で算出した走行距離（ｋｍ）をＤ、走行電力情報に定義された電気自動車の走行による単位距離（ｋｍ）当たりの消費電力量をＰｃ（Ｗ・ｈ）とすると、電気自動車の走行に必要な走行電力量Ｐｓは次式で表される。
【００７２】
Ｐｓ＝Ｄ×Ｐｃ      ・・・（３）
【００７３】
ステップＳ２０では、電気自動車のバッテリー残量（電力量）Ｐｔを取得する。具体的には、例えば電気自動車にバッテリー残量を電気自動車のパネル等に表示する機能がある場合には、そのパネルに表示されたバッテリー残量をオペレータが確認し、これを操作部１２４を操作して入力するようにしてもよい。また、電気自動車と無線通信等により情報の授受が可能な場合には、電気自動車に対してバッテリー残量の送信を要求し、これを受信することでバッテリー残量を取得するようにしてもよい。また、例えば本プログラムを撮影当日の出発直前に実行する場合には、前日に病院に戻ってきた時点における電気自動車のバッテリー残量に基づいて現時点の電気自動車のバッテリー残量の予測値を算出して入力するようにしてもよい。
【００７４】
ステップＳ２２では、回診可能か否か、すなわち全ての撮影場所を回って撮影することが可能か否かを判断する。具体的には、ステップＳ２０で取得したバッテリー残量Ｐｔが、ステップＳ１８で求めた電気自動車の走行に必要な走行電力量Ｐｓ未満であるか否かを判断する。そして、バッテリー残量Ｐｔが走行電力量Ｐｓ以上である場合には、回診可能、すなわち予定された走行ルートを走行可能であるものとして、ステップＳ２４へ移行する。
【００７５】
一方、バッテリー残量Ｐｔが走行電力量Ｐｓ未満である場合には、回診不可能、すなわち予定された走行ルートを走行できないものとして、ステップＳ２６へ移行する。
【００７６】
ステップＳ２６では、電気自動車のバッテリー残量が足りず、走行ルートを走行できない旨を表示部１２２に表示する等して警告する。
【００７７】
一方、ステップＳ２４では、回診可能である旨を表示部１２２に表示すると共に、ステップＳ１４で求めた撮影予定日の全撮影に必要な電子カセッテ１０の撮影電力量ＰＸ、可搬型Ｘ線源７０の撮影電力量ＰＹ、ステップＳ１８で求めた電気自動車の走行電力量Ｐｓと、ステップＳ２０で求めた電気自動車のバッテリー残量Ｐｔと、ハードディスク１２６に記憶された電子カセッテ１０の充電池５４の１個当たりの満充電時の電力量及び可搬型Ｘ線源７０の充電池５８の１個あたりの満充電時の電力量と、に基づいて、電子カセッテ１０の充電池５４及び可搬型Ｘ線源７０の充電池５８の必要個数を各々算出する。
【００７８】
具体的には、電子カセッテ１０の充電池５４の１個当たりの満充電時の電力量をＰｄ及び可搬型Ｘ線源７０の充電池５８の１個あたりの満充電時の電力量をＰｅとすると、電子カセッテ１０の充電池５４の必要個数Ｎ１、可搬型Ｘ線源７０の充電池５８の必要個数Ｎ２は次式を満たすように決定される。
【００７９】
（Ｐｄ×Ｎ１）≧ＰＸ    ・・・（４）
【００８０】
（Ｐｅ×Ｎ２）≧ＰＹ    ・・・（５）
【００８１】
そして、上記（４）、（５）式により決定された電子カセッテ１０の充電池５４の必要個数Ｎ１、可搬型Ｘ線源７０の充電池５８の必要個数Ｎ２を、表示部１２２に表示する。
【００８２】
ところで、上記（４）式、（５）式を満たさない場合でも、電気自動車のバッテリー残量Ｐｔが、走行ルートの走行に必要な走行電力量Ｐｓよりも多く、その余裕分のバッテリー残量が電子カセッテ１０の充電池５４又は可搬型Ｘ線源７０の充電池５８の１個当たりの満充電時の電力量を上回る場合には、電気自動車のバッテリーから充電ケーブル等を介して電子カセッテ１０の充電池５４又は可搬型Ｘ線源７０の充電池５８に充電することにより、充電池の必要個数を減らすことができる。
【００８３】
具体的には、以下に示す（６）式を満たすような１以上のＮａ又はＮｂが存在する場合には、Ｎａ個分の電子カセッテ１０の充電池５４を必要個数Ｎ１から減らす又はＮｂ個分の可搬型Ｘ線源７０の充電池５８を必要個数Ｎ２から減らすことができる。
【００８４】
Ｐｔ−Ｐｓ≧（Ｐｄ×Ｎａ）＋（Ｐｅ×Ｎｂ）  ・・・（６）
【００８５】
この場合、電子カセッテ１０の必要個数Ｎ１、可搬型Ｘ線源７０の充電池５８の必要個数Ｎ２と共に、電子カセッテ１０の充電池５４を減らすことができる個数Ｎａ、可搬型Ｘ線源７０の充電池５８を減らすことができる個数Ｎｂを、表示部１２２に表示するようにしてもよい。また、必要個数Ｎ１から、減らすことができる個数Ｎａを減算して表示するようにすると共に、必要個数Ｎ２から、減らすことができる個数Ｎｂを減算して表示するようにしてもよい。
【００８６】
なお、ステップＳ２２において、バッテリー残量Ｐｔが走行電力量Ｐｓ未満であっても、保有する電子カセッテ１０の充電池５４、保有する可搬型Ｘ線源７０の充電池５８の個数に余裕があり、充電池５４の必要個数Ｎ１及び充電池５８の必要個数Ｎ２より多い数の充電池５４、充電池５８を持ち出し可能な場合には、充電池５４及び充電池５８から電気自動車のバッテリーに充電することも可能である。このような場合には、バッテリー残量Ｐｔが走行電力量Ｐｓ未満であっても、回診可能と判断するようにしてもよい。
【００８７】
このように、本実施形態では、撮影予定日の全撮影に必要な電子カセッテ１０の撮影電力量ＰＸ、可搬型Ｘ線源７０の撮影電力量ＰＹ、電気自動車の走行電力量Ｐｓを求めると共に、電気自動車のバッテリー残量Ｐｔを取得し、これらに基づいて電子カセッテ１０の充電池５４及び可搬型Ｘ線源７０の充電池５８の必要個数を各々算出する。これにより、電子カセッテ１０及び可搬型Ｘ線源７０を電気自動車に搭載して個人宅や企業、介護施設等を訪問し、訪問先で撮影を行って病院へ戻る場合でも、電子カセッテ１０の充電池５４や可搬型Ｘ線源７０の充電池５８の電池切れにより撮影が行えなくなるのを回避することができる。
【００８８】
また、バッテリー残量Ｐｔに余裕がある場合には、電子カセッテ１０の充電池５４又は可搬型Ｘ線源７０の充電池５８を電気自動車のバッテリーから充電することを想定して、電子カセッテ１０の充電池５４及び可搬型Ｘ線源７０の充電池５８を減らすことができる個数を算出して提示するので、持ち出す電子カセッテ１０の充電池５４、可搬型Ｘ線源７０の充電池５８を必要最小限の個数にすることができる。
【００８９】
また、電気自動車のバッテリー残量Ｐｔを取得し、これが電気自動車の走行に必要な走行電力量Ｐｓ未満の場合には警告をするので、走行ルートの途中で電気自動車のバッテリーが残量不足となって撮影が行えなくなる可能性があることを事前に知ることができ、電気自動車のバッテリー残量不足を未然に防ぐことができる。
【００９０】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、電気自動車に電子カセッテ１０及び可搬型Ｘ線源７０を搭載して個人宅等を訪問して撮影する場合を想定し、電子カセッテ１０の充電池５４及び可搬型Ｘ線源７０の充電池５８の必要個数を求める場合について説明したが、放射線画像を撮影するための電子カセッテ１０及び可搬型Ｘ線源７０に限らず、可搬型の医療機器であり且つ充電池によって駆動されるものであれば、本発明を適用可能である。
【符号の説明】
【００９１】
１０   電子カセッテ（可搬型医療機器、可搬型放射線撮影装置）
５４   充電池
５８   充電池
７０   可搬型Ｘ線源（可搬型医療機器、可搬型放射線源）
１０２ 端末装置
１０４ ＲＩＳサーバ
１０４Ａ      ＲＩＳデータベース
１０６ 撮影システム
１０８ 充電池管理装置
１１０ 病院内ネットワーク
１１２ 放射線発生装置
１１４ クレードル
１１６ コンソール
１２０ コントローラ
１２２ 表示部
１２４ 操作部
１２６ ハードディスク
【図１】
2011251005.tif 000003
【図２】
2011251005.tif 000004
【図３】
2011251005.tif 000005
【図４】
2011251005.tif 000006
【図５】
2011251005.tif 000007
【図６】
2011251005.tif 000008
【図７】
2011251005.tif 000009
【図８】
2011251005.tif 000010
【図９】
2011251005.tif 000011